(57)【要約】      （修正有）【課題】プレスフィット治具に関し、プレスフィットコンタクトの圧入時の座屈を確実に防止するようにすること。【解決手段】プレスフィットコンタクトをプリント基板に圧入する際に使用される治具１であって、当該治具１は治具本体２と姿勢矯正治具３とで構成され、前記治具本体には、上部の基部２ａから垂設され櫛歯状に左右方向に一つ又は複数に列設された整列歯２ｂ，２ｃと、片側壁面から前方若しくは後方に突設されその下面が前記プレスフィットコンタクトの前記肩部の上面を下方に押圧する押圧面となる突起部２ｄ，２ｅとが設けられ、前記姿勢矯正治具３は、前記プレスフィットコンタクトの肩部の前後方向における片側壁面を後方若しくは前方に押しつけると共に、前記肩部から下のプレスフィットコンタクトの先端部を圧入方向に沿って平行な直線状に矯正する櫛歯状の矯正部３ａを有することである。【選択図】図１
2006331780.tif 000002
【特許請求の範囲】
【請求項１】
プレスフィットコネクタにおける圧入用肩部を有するプレスフィットコンタクトをプリント基板に圧入する際に使用される治具であって、当該治具は治具本体と姿勢矯正治具とで構成され、
前記治具本体には、上部の基部から垂設され櫛歯状に左右方向に一つ又は複数に列設された整列歯と、該整列歯の前後方向における片側壁面から前方若しくは後方に突設されその下面が前記プレスフィットコンタクトの前記肩部の上面を下方に押圧する押圧面となる突起部とが設けられ、
前記姿勢矯正治具は、前記プレスフィットコンタクトの肩部の上面が前記突起部の下面に位置するように当該肩部の前後方向における片側壁面を後方若しくは前方に押しつけると共に、前記肩部から下のプレスフィットコンタクトの先端部を圧入方向に沿って平行な直線状に矯正する櫛歯状の矯正部を有すること、
を特徴とするプレスフィット治具。
【請求項２】
姿勢矯正治具の矯正部は、治具本体に左右方向に列設された整列歯及び突起部が前後方向で対向配置にされている間に設けられた中央空間部における当該対向した突起部の間にほぼ隙間無く挿入されるものであること、
を特徴とする請求項１に記載のプレスフィット治具。
【発明の詳細な説明】
【技術分野】
【０００１】
本発明は、例えば、コネクタの多数のプレスフィットコンタクトをプリント基板に一括して圧入するためのプレスフィット治具に関するものである。
【背景技術】
【０００２】
従来、Ｌ字型のプレスフィットコンタクトをプリント基板の孔に一括して圧入するには、プレス機で大きな力で圧入するので、当該コンタクトの変形防止のために圧入治具が必要であった。その圧入治具としては、例えば、図９に示すように、コンタクトの一部に圧入用肩部１２ｄを有するＬ字型プレスフィットコンタクト１２を２列に複数個備えたコネクタ１１に対して、図１０に示すように、前記プレスフィットコンタクト１２を各々収納する凹部を有した剛性のブラケット１３を用いて圧入するもの、若しくは、図１１に示すように、プレスフィットコンタクト１２ｃを合成樹脂製の整列部１４で一体成形し、剛性の押圧介在部１５を介して圧入するものなどが知られている（特許文献１参照）。
【特許文献１】特開２００４−３４２３６３号公報
【発明の開示】
【発明が解決しようとする課題】
【０００３】
しかし、従来のブラケットを用いるプレスフィット治具では、圧入時において、コンタクト列方向のガタ分を押さえることは、コンタクトの座屈防止の観点から重要であるが、実際上は、前記列方向のピッチエラーで前記ブラケットの凹部にすっきりと収まらなかったり斜めに傾斜したりすることがある。その場合には、一々傾斜したプレスフィットコンタクトを整列させる手間が掛かり、プリント基板への組立作業能率が低下する。また、部品点数が増加してコストが嵩むものである。そして、前記一体成形によるものは、コネクタ全体の重さが重くなる。そこで、本発明に係るプレスフィット治具は、このような課題を解決するために提案されたものである。
【課題を解決するための手段】
【０００４】
本発明に係るプレスフィット治具の上記課題を解決して目的を達成するための要旨は、
プレスフィットコネクタにおける圧入用肩部を有するプレスフィットコンタクトをプリント基板に圧入する際に使用される治具であって、当該治具は治具本体と姿勢矯正治具とで構成され、前記治具本体には、上部の基部から垂設され櫛歯状に左右方向に一つ又は複数に列設された整列歯と、該整列歯の前後方向における片側壁面から前方若しくは後方に突設されその下面が前記プレスフィットコンタクトの前記肩部の上面を下方に押圧する押圧面となる突起部とが設けられ、前記姿勢矯正治具は、前記プレスフィットコンタクトの肩部の上面が前記突起部の下面に位置するように当該肩部の前後方向における片側壁面を後方若しくは前方に押しつけると共に、前記肩部から下のプレスフィットコンタクトの先端部を圧入方向に沿って平行な直線状に矯正する櫛歯状の矯正部を有することである。
【０００５】
前記姿勢矯正治具の矯正部は、治具本体に左右方向に列設された整列歯及び突起部が前後方向で対向配置にされている間に設けられた中央空間部における当該対向した突起部の間にほぼ隙間無く挿入されるものであることを含むものである。
【発明の効果】
【０００６】
本発明のプレスフィット治具によれば、当該治具の治具本体により、プレスフィットコンタクトの圧入用肩部の上面が、突起部の下面で押さえられると共に、前記姿勢矯正治具により、前記肩部の前側壁面が後方に押しつけられて、圧入方向に対して前後に傾き不揃いとなっているプレスフィットコンタクトの先端部が直線状に整列させられる。これにより、圧入装置で前記プレスフィット治具を押圧して、プリント基板にプレスフィットコンタクトが座屈することなく、圧入作業がたびたび中断することなく効率的に圧入される。同時に、プレスフィットコンタクトの歩留まりも向上する。
また、前記姿勢矯正治具の矯正部は、治具本体に列設された整列歯及び突起部が対向配置にされている間に設けられた中央空間部における当該対向した突起部の間にほぼ隙間無く挿入されるものとすることで、簡易に治具製作できて、且つ、確実にコンタクト整列作用する治具となる。
【発明を実施するための最良の形態】
【０００７】
本発明に係るプレスフィット治具１について説明する、なお、従来例に係る部分に対応するものには従来例と同一の符号を付けて説明する。図１に示すように、前記プレスフィット治具１は、プレスフィットコネクタ１１における圧入用肩部１２ｄを有するＬ字型ライトアングルのプレスフィットコンタクト（図９参照）１２をプリント基板（図２（Ｃ）参照）１６に圧入する際に使用される剛性な治具である。
【０００８】
前記プレスフィット治具１は、共に鋼製等の金属製である治具本体２と姿勢矯正治具３とで構成される。前記治具本体２は、図２に示すように、左右に細長く全体が矩形状体であり、そして、上部には基部２ａがあり、該基部２ａから垂設され櫛歯状に左右方向に一つ又は複数、図２では２列の実施例にして列設された整列歯２ｂ，２ｃとがある。
【０００９】
前記整列歯２ｂ，２ｃは、左右方向に一定の間隔をおいて配設されており、その間隙ａにプレスフィットコネクタ１１のコンタクト１２が、図２（Ｃ）に示すように、前後方向から入り込むものである。
【００１０】
そして、図２（Ｂ）及び図５（Ｂ）に示すように、前記整列歯２ｂの後側壁面から後方に突設されその下面が前記プレスフィットコンタクト１２の前記肩部１２ｄの上面を下方に押圧する押圧面となる突起部２ｄが設けられ、前記整列歯２ｃの前側壁面から前方に突設されその下面が前記プレスフィットコンタクト１２の前記肩部１２ｄの上面を下方に押圧する押圧面２ｆとなる突起部２ｅが設けられている。
【００１１】
前記押圧面２ｆは、左右方向において隣接する二つのプレスフィットコンタクト１２の肩部１２ｄ，１２ｄの上面が各々当接するものである。
【００１２】
前記姿勢矯正治具３は、図３に示すように、前記プレスフィットコンタクト１２の肩部１２ｄの上面が、前記突起部２ｄ，２ｅの下面に位置するように当該肩部１２ｄの前後方向における片側壁面を後方若しくは前方に押しつけると共に、前記肩部１２ｄから下のプレスフィットコンタクトの先端部１２ｅ（図９（Ｃ）参照）を圧入方向に沿って平行な直線状に矯正する櫛歯状の矯正部３ａを有する。
【００１３】
前記矯正部３ａは、基部３ｂから櫛歯状に植設されており、その左右方向の間隔は、前記間隙ａと同じ間隙ａである。この矯正部３ａは、図１に示すように、治具本体２に左右方向で列設された整列歯２ｂ，２ｃ及び突起部２ｄ，２ｅが対向配置にされている間に設けられた中央空間部２ｇにおける、当該対向した突起部２ｄ，２ｅの間にほぼ隙間無く挿入されるものである。また、この矯正部３ａの上下方向の長さは、前記治具本体２の整列歯２ｂ，２ｃと同じである。全体の上下方向の高さも、前記治具本体２と同じである。
【００１４】
このようなプレスフィット治具１を形成して、プレスフィットコネクタ１１のプリント基板１６への圧入方法を説明する。
プリント基板１６の孔に、プレスフィットコネクタ１１におけるコンタクト１２の先端部１２ｅを位置合わせして仮置きする。そして、図２（Ｃ）に示すように、破線で示す前記コンタクト１２に治具本体２を、上下方向から若しくは前後方向から嵌合させ下方向に下ろすようにして、挿着する。
【００１５】
この状態で、治具本体２の中央空間部２ｇに臨む突起部２ｄ，２ｅの押圧面（下面）２ｆが、図４に示すように、プレスフィットコンタクト１２ａ，１２ｂの圧入用肩部１２ｄの上面に当接する。しかし、多数のプレスフィットコンタクト１２の中には中央空間部２ｇの内側に傾いたり、逆に外側に傾いたりしている。そして、姿勢矯正治具３を前記中央空間部２ｇに挿入する。
【００１６】
すると、この姿勢矯正治具３の矯正部３ａが、突起部１２ｄ，１２ｅの間にほぼ隙間無く入り込むことで、前記プレスフィットコンタクト１２ａ，１２ｂの先端部１２ｅが当該矯正部３ａの壁面と、整列歯２ｂ，２ｃの壁面とで、前後方向において前方若しくは後方に押し込まれて挟装される。
【００１７】
よって、プレスフィットコンタクト１２ａ，１２ｂの先端部１２ｅが直線状に矯正して整列され、圧入方向（上下方向）と平行に整列される。その後、圧入装置によりプレスすることで、プリント基板１６にプレスフィットコンタクト１２が圧入され、プレスフィットコネクタ１１が該プリント基板１６に固定される。
【００１８】
本発明の他の実施例に係るプレスフィット治具６として、図８（Ａ），（Ｂ）に示すように、治具本体４と、該治具本体４の側面に設けた開口部４ａから左右方向に沿って平行に挿入する姿勢矯正治具５とでなる治具が提案される。この姿勢矯正治具５の差し込む側の先端部５ａは、挿入抵抗を減ずるようにＲ形状若しくは略三角形状等の尖塔形状になっている。このように、横方向（左右方向）から矯正治具を差し込むのは、プリント基板１６における電気・電子部品の実装状況や実装設計に応じて、治具装着の都合により適用されるものである。そして、図８（Ｂ）に示すように、治具本体４の中央空間部４ｂに前記姿勢矯正治具５がほぼ隙間無く入り込むと、プレスフィットコンタクト１２の先端部１２ｅが前後方向に夫々押し込まれて直線状に矯正され挟装されるものである。
【図面の簡単な説明】
【００１９】
【図１】本発明に係るプレスフィット治具１の全体斜視図（Ａ）と、側面の一部を破断して示す斜視図（Ｂ）である。
【図２】同本発明のプレスフィット治具１における治具本体２の、平面図（Ａ）、正面図（Ｂ）、左側面図（Ｃ）である。
【図３】同本発明のプレスフィット治具１における姿勢矯正治具３の、平面図（Ａ）、正面図（Ｂ）、左側面図（Ｃ）である。
【図４】本発明に係るプレスフィット治具１の使用により、プレスフィットコンタクト１２が直線状に矯正され、コンタクト整列機能が作用することを示す説明図である。
【図５】図４におけるＡ−Ａ線に沿った断面図（Ａ）と、プレスフィットコンタクト１２が治具１に挿着された状態を示す一部斜視図（Ｂ）とである。
【図６】図４におけるＢ−Ｂ線に沿った断面図である。
【図７】図４におけるＣ−Ｃ線に沿った断面図である。
【図８】他の実施例に係るプレスフィット治具６の斜視図（Ａ）と、使用状態の断面図（Ｂ）とである。
【図９】プレスフィットコネクタ１１の側面図（Ａ）と、背面図（Ｂ）と、コンタクト１２の一部斜視図（Ｃ）とである。
【図１０】従来例に係るプレスフィットコネクタ１１の圧入の様子を示す説明図である。
【図１１】同従来例に係るプレスフィットコネクタ１１の圧入の様子を示す説明図である。
【符号の説明】
【００２０】
１            プレスフィット治具、
２            治具本体、                ２ａ              基部、
２ｂ，２ｃ    整列歯、                  ２ｄ，２ｅ        突起部、
２ｆ          押圧面（下面）、          ２ｇ              中央空間部、
３            姿勢矯正治具、            ３ａ              矯正部、
４            治具本体、                ４ａ              開口部、
４ｂ          中央空間部、              
５            姿勢矯正治具、            ５ａ              先端部、
６            他の実施例に係るプレスフィット治具、
１１          プレスフィットコネクタ、
１２（１２ａ，１２ｂ，１２ｃ）        プレスフィットコンタクト、        
１２ｄ        肩部、                    １２ｅ            先端部、
１３          ブラケット、
１４          整列部、
１５          押圧介在部、
１６          プリント基板。
【図１】
2006331780.tif 000003
【図２】
2006331780.tif 000004
【図３】
2006331780.tif 000005
【図４】
2006331780.tif 000006
【図５】
2006331780.tif 000007
【図６】
2006331780.tif 000008
【図７】
2006331780.tif 000009
【図８】
2006331780.tif 000010
【図９】
2006331780.tif 000011
【図１０】
2006331780.tif 000012
【図１１】
2006331780.tif 000013